(57)【要約】【課題】  無線通信システムにおいて、ＲＬＣ関連のパラメータ及び関連する通信装置を再設定するための方法を提供する。【解決手段】  無線通信システムの通信装置のためのＲＬＣ再設定の方法は、ＲＬＣ関連のパラメータが使用中の場合、該ＲＬＣ関連のパラメータに対応する再設定値を含む専用シグナル伝達を受信するステップ、及び該再設定値が該専用シグナル伝達から抽出される場合、該使用中のＲＬＣ関連のパラメータに該再設定値の使用を即時には開始しないステップ、を含む。【選択図】図１２
2010220215.tif 000002
【特許請求の範囲】
【請求項１】
無線通信システムの通信装置に対する無線リンク制御（ＲＬＣ）再設定の方法であり：
ＲＬＣ関連のパラメータが使用中である場合、該ＲＬＣ関連のパラメータに対応する再設定値を含む専用シグナル伝達を受信するステップ；及び
該再設定値が該専用シグナル伝達から抽出される場合、前記の使用中のＲＬＣ関連のパラメータに対する該再設定値の使用を即時には開始しないステップ：
を含むことを特徴とする、方法。
【請求項２】
前記再設定値が前記専用シグナル伝達から抽出される場合、前記使用中のＲＬＣ関連のパラメータに対する該再設定値の使用を即時には開始しないステップを特徴とする方法であり：
前記再設定値を次に該ＲＬＣ関連のパラメータが再使用されるときに使用開始するステップ、又は
該再設定値が所定値又は「無限」を表わすキャラクタである場合、前記ＲＬＣ関連のパラメータの使用を停止するステップ、又は
該再設定値、及び該ＲＬＣ関連のパラメータの現在値と該ＲＬＣ関連のパラメータの残っている値とのうちの少なくとも１つに従って、前記使用中のＲＬＣ関連のパラメータの使用量を決定するステップ、
を含み、
該残っている値は、該現在値と該現在値に対応するＲＬＣ関連のパラメータの目標値との間の差の値である、ことを特徴とする、
請求項１に記載された方法。
【請求項３】
請求項２に記載された方法であり、前記ＲＬＣ関連のパラメータがタイマー又はカウンターであり、前記再設定値が次に再使用されるときに該再設定値の使用を開始するステップは、該タイマー又は該カウンターが次に開始又は再開始されるとき、又は該カウンターが次に所定の初期値にリセットされるときに、該再設定値に従って該タイマー又は該カウンターの設定をするステップを含む、ことを特徴とする、方法。
【請求項４】
前記専用シグナル伝達は、無線リソース制御接続再設定メッセージであることを特徴とする、請求項１に記載された方法。
【請求項５】
請求項２に記載された方法であり、前記使用中のＲＬＣ関連のパラメータは実行中のタイマーであり、前記再設定値、及び前記現在値と前記残っている値とのうちの少なくとも１つに従って、該使用中のＲＬＣ関連のパラメータの使用量を決定することを特徴とし：
該再設定値が該残っている値よりも小さい場合、該再設定値で該タイマーを再開始するステップ；
該再設定値が該現在値よりも大きい場合、該再設定値から該現在値を引いた値である第１の値で該タイマーを再開始するステップ；
該第１の値で再開始された該タイマーが終了になった後に、該タイマーが次に開始又は再開始されるときに該再設定値の使用を開始するステップ；及び
該再設定値が前記残っている値よりも大きい場合、該タイマーの実行を継続するステップ；
を含む、方法。
【請求項６】
請求項２に記載された方法であり、前記使用中のＲＬＣ関連のパラメータは実行中のカウンターであることを特徴とし、前記再設定値、及び前記現在値と前記残っている値とのうちの少なくとも１つに従って前記使用中のＲＬＣ関連のパラメータの使用量を決定するステップが：
前記カウンターを初期値にリセットし、該再設定値が該現在値よりも小さい場合、該再設定値を前記目標値として使用するステップ；及び
該再設定値を該目標値として使用し、該再設定値が該現在値よりも大きい又は等しい場合、前記カウンターの実行を継続させるステップ；
を含む方法。
【請求項７】
請求項１に記載された方法であり、前記ＲＬＣ関連のパラメータは、シーケンス番号の長さのパラメータ又は少なくとも１つの論理チャンネルに関連付けられているパラメータであることを特徴とし、前記再設定値が前記専用シグナル伝達から抽出される場合、前記使用中のＲＬＣ関連のパラメータへ該再設定値を使用することを即時には開始しないステップが：
前記無線リンク制御層のＲＬＣエンティティを再構築又はリセットするステップ；及び
該ＲＬＣエンティティを前記再設定値で設定するステップ；
を含む、方法。
【請求項８】
請求項１に記載された方法であり、前記ＲＬＣ関連のパラメータは、少なくとも論理チャンネルに関連付けられているパラメータであることを特徴とし、前記再設定値が前記専用シグナル伝達から抽出される場合、前記使用中のＲＬＣ関連のパラメータに該再設定値を使用することを即時には開始しないステップが：
該再設定値が前記専用シグナル伝達から抽出される場合、前記論理チャンネルの論理チャンネル優先順位決定機能及びバッファ・ステータス報告機能がアクティブであるか否かを決定するステップ；及び
該論理チャンネル優先順位決定機能又はバッファ・ステータス報告機能のいずれもアクティブでない場合、前記再設定値の使用を即時に開始するステップ；
を含む、方法。
【請求項９】
請求項１に記載された方法であり、前記ＲＬＣ関連のパラメータが少なくとも論理チャンネルに関連付けられているパラメータであることを特徴とし、前記再設定値が前記専用シグナル伝達から抽出される場合、該再設定値の使用を即時には開始しないステップが：
ＲＬＣリセット又はＲＬＣ再設立のいずれも必要でない場合、前記論理チャンネルの論理チャンネル優先順位決定機能が次に実行されるよりも前に前記再設定値の使用を開始するステップ；
を含む、方法。
【請求項１０】
請求項１に記載された方法であり、前記ＲＬＣ関連のパラメータが論理チャンネル・グループに関連付けられているパラメータであることを特徴とし、前記再設定値が前記専用シグナル伝達から抽出される場合、前記使用中のＲＬＣ関連のパラメータに該再設定値を使用することを即時には開始しないステップが：
ＲＬＣリセット又はＲＬＣ再構築のいずれも必要でない場合、バッファ・ステータス報告機能が次に実行されるときに前記再設定値の使用を開始するステップ；
を含む、方法。
【請求項１１】
請求項１に記載された方法であり、前記専用シグナル伝達が、ハンドオーバー機能のインフォメーション・エレメントを全く含まない無線リソース制御（以下ＲＲＣとして呼ばれる）再設定メッセージである場合、該専用シグナル伝達は無効であり、ＲＬＣ再設定は失敗であることを決定するステップであり、該ＲＲＣ再設定メッセージは、ＲＲＣ再構築手順の後に続くＲＲＣ再設定手順のメッセージではない、ことを特徴とするステップ；及び
前記ＲＬＣ再設定の失敗を正常に戻るために該ＲＲＣ再構築手順を実施するステップ；
を特徴とする、方法。
【請求項１２】
無線リンク制御（ＲＬＣ）再設定を正確に実施するための無線通信システムの通信装置であり：
プロセスに対応するプログラム・コードを保存するためのコンピュータ可読の記録媒体；及び
該プロセスを実行するように該プログラム・コードを処理するための、該コンピュータ可読の記録媒体に結合されたプロセッサ；
を含み、
前記プロセスは、請求項１に記載された方法ステップによって特徴付けられる、
通信装置。
【発明の詳細な説明】
【技術分野】
【０００１】
本発明は、請求項１及び１２の特徴部分の前の節に従って、無線通信システムにおける無線リンク制御層のパラメータを再設定するための方法及びその通信装置に関する。
【背景技術】
【０００２】
３Ｇ携帯電話通信システムによって開始された長期的発展型無線通信システム（ＬＴＥシステム）は、現在、新しい無線インターフェース、及び高いデータ転送速度、低いレイテンシ、パケット最適化、改善されたシステム容量及び受信地域を提供する無線ネットワーク・アーキテクチャとして考慮されている。ＬＴＥシステムにおいて、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、複数のｅＮＢｓ（ｅｖｏｌｖｅｄ  Ｎｏｄｅ−Ｂｓ）を含み、複数の移動局と通信し、また、ユーザー装置（ＵＥｓ）として呼ばれる。
【０００３】
ＬＴＥシステムの無線インターフェース・プロトコルは、３つの層：物理層（Ｌ１）、データ・リンク層（Ｌ２）、及びネットワーク層（Ｌ３）を含み、Ｌ３の制御層は、無線リソース制御（ＲＲＣ）層であり、Ｌ２は、パケットデータ収束プロトコル（ＰＤＣＰ）層、無線リンク制御（ＲＬＣ）層及び媒体アクセス制御（ＭＡＣ）層にさらに分割される。
【０００４】
ＲＬＣ層の主なサービス及び機能は、上層ＰＤＵｓの転送；ＡＲＱを通したエラー修正（肯定応答モード（Ａｃｋｎｏｗｌｅｄｇｅｄ  Ｍｏｄｅ）のデータ転送のみ）；ＲＤＣ  ＳＤＵｓの連結、セグメント化及び再組み立て（非肯定応答モード（Ｕｎａｃｋｎｏｗｌｅｄｇｅｄ  Ｍｏｄｅ）及び肯定応答モードのデータ転送のみ）；ＲＬＣデータＰＤＵｓの再セグメンテーション（肯定応答モードのデータ転送のみ）；上層ＰＤＵｓを順々に配送する（非肯定応答モード及び肯定応答モードのデータ転送のみ）；プロトコル・エラー検出及びリカバリ；ＲＬＣ  ＳＤＵ放棄（非肯定応答及び肯定応答モードのみ）；及びＲＬＣ再構築、を含む。
【０００５】
タイマーやカウンターなどの様々なＲＬＣ層のパラメータは、上記の機能／サービスに利用されており、ＲＲＣ層によって設定又は再設定されている。ＲＲＣ（再）設定において、そのＲＬＣ層のパラメータは、「ＲＬＣコンフィグ」インフォメーション・エレメント（ＩＥ）にグループ化され、それは、非特許文献２で参照することができる。
【０００６】
論理チャンネルは、ＭＡＣ層と通信するようにＲＬＣ層に対して使用される。データ優先度及び量の取り決めに対して、各論理チャンネルは、伝送優先度及び優先されたビットレートに関するパラメータで設定されている。様々な論理チャンネルのパラメータは、また、ＲＲＣ層によって設定又は再設定され、「論理チャンネル・コンフィグ」ＩＥにグループ化され、それは、非特許文献２で参照することができる。
【０００７】
上記のＲＬＣ層パラメータ及び倫理チャンネル・パラメータは、ここではＲＬＣ関連のパラメータとして考慮される。ＵＥは、ＲＬＣパラメータが上層によって再設定されるとき、ＲＬＣパラメータの再設定値を使用して開始する。さらに、ＵＥは、そのＲＬＣ関連のパラメータが使用中の場合は、「ＲＬＣコンフィグ」又は「論理チャンネル・コンフィグ」ＩＥを受信してもよい。この状況では、ＵＥは直ちに、使用中のＲＬＣ関連のパラメータに対し、再設定された値を使用する。しかし、使用中のＲＬＣ関連のパラメータの値を即時に変更することは、ＵＥシステム不具合が生じる原因となるか、又は通信システム・パフォーマンスに影響を与える。
【０００８】
例えば、最大値Ｍ１で設定されたＲＬＣカウンターは、ＲＬＣ手順においてカウント状態にある。ＲＬＣカウンターがカウントをする間に、ＵＥは、ＲＬＣカウンターに対する新しい最大値Ｍ２を示す再設定を受信する。Ｍ２＞Ｍ１の場合、及びＵＥがＭ１をＭ２で即時に置き換える場合、ＲＬＣカウンターは、ＲＬＣ手順においてＭ２までカウントできるようになる。そのＲＬＣ手順のパフォーマンスが左右される。不適切な最大値の設定は、ＲＬＣエラーを起こす。
【先行技術文献】
【非特許文献】
【０００９】
【非特許文献１】３ＧＰＰ  ＴＳ２５．３２２  Ｖ８．３．０  Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ
【非特許文献２】３ＧＰＰ  ＴＳＧ−ＲＡＮ２  Ｍｅｅｔｉｎｇ  ＃６５  Ｒ２−０９１９７１
【発明の概要】
【発明が解決しようとする課題】
【００１０】
これを考慮して、本発明は、上記の問題を解決するために、無線通信システムにおいてＲＬＣ関連のパラメータ及び関連する通信装置を再設定するための方法を提供することを目的とする。
【課題を解決するための手段】
【００１１】
これは、請求項１及び１２に従って、無線通信システムの通信装置に対するＲＬＣ再設定方法によって達成される。従属項は、対応するさらなる発展型及び改善型に関する。
【００１２】
以下に続く詳細な記載からさらに明確になるように、無線通信システムに対する無線リンク制御層のパラメータを再設定するための方法は、ＲＬＣ関連のパラメータが使用中である場合、そのＲＬＣ関連のパラメータに対応する再設定値を含む専用シグナル伝達を受信するステップを含み、また、その再設定値が専用シグナル伝達から抽出される場合、使用中であるＲＬＣ関連のパラメータに対する再設定値の使用を即時には開始しないステップを含む。
【００１３】
以下において、本発明は、実例によって、添付の図表に参照することによってさらに説明される。
【図面の簡単な説明】
【００１４】
【図１】無線通信システムの概略図である。
【図２】本発明の実施形態による、通信装置の概略図である。
【図３】多重通信プロトコル層の概略図である。
【図４】本発明の実施形態によるプロセスのフローチャートである。
【図５】本発明の実施形態によるプロセスのフローチャートである。
【図６】本発明の実施形態によるプロセスのフローチャートである。
【図７】本発明の実施形態によるプロセスのフローチャートである。
【図８】本発明の実施形態によるプロセスのフローチャートである。
【図９】本発明の実施形態によるプロセスのフローチャートである。
【図１０】本発明の実施形態によるプロセスのフローチャートである。
【図１１】本発明の実施形態によるプロセスのフローチャートである。
【図１２】本発明の実施形態によるプロセスのフローチャートである。
【図１３】本発明の実施形態による通信装置の概略図である。
【発明を実施するための形態】
【実施例１】
【００１５】
本発明の実施形態に従って無線通信システム１０の概略図を表わす図１を参照されたい。簡潔に、無線通信システム１０は、ネットワーク及び複数の通信装置で構成されている。図１において、ネットワーク及び通信装置は、単に無線通信システム１０の構造を説明するために使用される。その無線通信システム１０は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はＬＴＥ（長期発展型（Ｌｏｎｇ−ｔｅｒｍ  ｅｖｏｌｕｔｉｏｎ））システムであってもよい。ＬＴＥシステムにおいて、ネットワークは、ＥＵＴＲＡＮ（ｅｖｏｌｖｅｄ  ＵＴＲＡＮ）として呼ばれ、複数のｅＮＢｓを含むが、一方、通信装置は、ユーザー装置（ＵＥｓ）として呼ばれる。ＵＥｓは、携帯電話、コンピュータ・システムなどの装置であってもよい。その上、ネットワーク及びＵＥは、伝送方向に従って、例えば、アップリンク（ＵＬ）のための送信機又は受信機として考えることができる。この場合、ネットワークは送信機であり、ＵＥは受信機であるとして考えられる。
【実施例２】
【００１６】
本発明の実施形態に従って通信装置２０の概略図を表わす図２を参照されたい。通信装置２０は、図１で示される通信装置であってもよく、プロセッサ２００、コンピュータ可読の記録媒体２１０、通信インターフェース・ユニット２２０及び制御ユニット２３０を含む。そのコンピュータ可読の記録媒体２１０は、プログラム・コード２１４を含む如何なるデータ・ストレージ装置であってもよい。従って、それは、プロセッサ２００によって読み取られプロセスされる。コンピュータ可読の記録媒体２１０の例は、加入者識別モジュール（ＳＩＭ）、読み出し専用メモリー（ＲＯＭ）、ランダム・アクセス・メモリー（ＲＡＭ）、ＣＤ−ＲＯＭｓ、磁気テープ、光学データ・ストレージ装置、及び搬送波（インターネットを通したデータ伝送など）を含む。制御ユニット２３０は、プロセッサ２００の処理結果に従って、通信インターフェース接続ユニット２２０及び通信装置２０の関連する操作及び状態を制御する。通信インターフェース接続ユニット２２０は、好ましくは、無線送受信機であり、従って、ネットワークと無線シグナルとを交換する。
【実施例３】
【００１７】
本発明の実施形態に従ってプログラム・コード２１４によって適用されるＬＴＥシステムの多重通信プロトコル層の概略図を表わす図３を参照されたい。プログラム・コード２１４は、多重通信プロトコル層のプログラム・コードを含み、上部から下部まではリソース制御（ＲＲＣ）層３００、パケットデータ収束プロトコル（ＰＤＣＰ）層３１０、無線リンク制御（ＲＬＣ）層３２０、論理チャンネル管理ユニット３２５、媒体アクセス制御（ＭＡＣ）層３３０及び物理（ＰＨＹ）層３４０である。
【００１８】
ＲＬＣ層３２０は、３つのタイプのＲＬＣ構成要素：透過モード（ＴＭ）、非肯定応答モード（ＵＭ）及び肯定応答モード（ＡＭ）のタイプで操作できる。論理チャンネルは、ＲＬＣ層３２０とＭＡＣ層３３０との間に定められ、論理チャンネル管理ユニット３２５によってパケットデータ転送、チャンネル分極、チャンネル・データ・レートなどのために管理される。ＭＡＣ層３３０は、バッファ・ステータスの報告（ＢＳＲ）が可能であり、アップリンク伝送のために利用可能なＲＬＣデータ量を取得する機能がどれであるかを報告する。ＲＲＣ層３００は、ネットワークによって送信される専用シグナルからの再設定情報を抽出し、さらにその抽出された再設定情報をより低い層へ出す。ＬＴＥシステムでは、ＲＲＣ接続再設定メッセージは、ＲＬＣ層３２０及び論理チャンネルに対して再設定情報としてそれぞれ使用される「ＲＬＣコンフィグ」及び「論理チャンネル・コンフィグ」インフォメーション・エレメント（ＩＥｓ）を利用するために専用シグナル伝達として使用される
ネットワークは、通信装置２０の無線リンク制御操作の再設定を試みるとき、通信装置２０に「ＲＬＣコンフィグ」及び／又は「論理チャンネル・コンフィグ」ＩＥを含むＲＲＣ接続再設定メッセージを送信できる。ＲＲＣ層３００は、ＲＲＣ接続再設定メッセージからＩＥ（ｓ）を抽出し、さらにタイマー及びカウンターの値などのパラメータ値を抽出する。その抽出された値は、次に、ＲＬＣ層３２０及び／又は論理チャンネル管理ユニット３２５にパラメータ再設定のために提出される。ＬＴＥシステムでは、ＲＬＣ層３２０において使用されるパラメータ（例えば、タイマー、カウンター、変数）及び論理チャンネル管理ユニット３２５は、非特許文献２で指定されている「ＲＬＣコンフィグ」及び／又は「論理チャンネル・コンフィグ」ＩＥｓにおいて参照できる。
【００１９】
以下の実施形態において、再設定値が取得されるとき、使用中のパラメータの再設定値の使用を即時に開始しないプロセスは、システム・エラーを防ぐために具えられている。以下の実施形態におけるパラメータは、ＲＬＣ層又は論理チャンネルに使用されるパラメータとして見なされ、ＲＬＣ関連のパラメータとしても見なされる。
【実施例４】
【００２０】
本発明の実施形態に従ってプロセス４０のフローチャートを示す図４を参照されたい。プロセス４０は、ＵＥ又は無線通信システムのためのＲＬＣ再設定に使用される。プロセス４０は、プログラム・コード２１４にコンパイルされ、以下のステップを含む：
ステップ４００：開始。
【００２１】
ステップ４１０：パラメータが使用中のとき、そのパラメータに関連付けられている再設定値を含む専用シグナル伝達を受信する。
ステップ４２０：パラメータが次に再使用されるときに、再設定値の使用を開始する。
ステップ４３０：終了。
【００２２】
プロセス４０に従って、専用シグナル伝達がパラメータの使用中に受信される場合、再設定値は、次にパラメータが再使用されるときに使用が開始される。言い換えれば、ＵＥは、最初に現在使用中であるパラメータの終了を待ち、そのパラメータが再度使用されるときに再設定値を用いてそのパラメータの設定をする。
【００２３】
例えば、タイマーを例とする。ＵＥは、タイマーが次に開始又は再開始されるとき、再設定値に従ってそのタイマーを設定する。すなわち、ＵＥは、タイマーの終了になる前に再設定値を取得し、次に、タイマーが終了後に実行を再開始したときに、その再設定値をタイマーに適用する。また、同じ概念がカウンターに導入される。ＵＥは、カウンターが次に所定の初期値（例えば、デフォルト値）にリセットされるときに、再設定値に従ってそのカウンターを設定する。
【００２４】
プロセス４０から理解できるように、ＵＥは、再設定値が受信されるときに、即時に再設定値の使用を無条件には開始しない。従って、安易に使用中のパラメータの値を即時に変更することが無くなり、それによってシステム・エラーが防止される。
【実施例５】
【００２５】
本発明の実施形態に従ってプロセス５０のフローチャートを表わす図５を参照されたい。プロセス５０は、無線通信システムのＵＥに対するＲＬＣ再設定に使用され、通常ゼロに設定された初期値とネットワークによって設定又は再設定することができるターゲット値を有するタイマー／カウンターのようなパラメータに適用される。さらに、残りの値は、使用中のパラメータの現在値と現在の期待目標値との間の差の値である。タイマー又はカウンターの「使用中」という用語は、タイマーが実行状態にある又はカウンターがカウント状態にあることを意味する。タイマーの目標値は、終了時間である一方、増加／減少しているカウンターの目標値は、そのカウンターが達成できる最大／最小値である。プロセス５０は、プログラム・コード２１４にコンパイルでき、以下のステップを含む：
ステップ５００：開始。
ステップ５１０：パラメータが使用中のとき、そのパラメータに関連付けられている再設定値を含む専用シグナルを受信する。
ステップ５２０：再設定値、及び現在値と残りの値とのうち少なくとも１つに従って、使用中のパラメータの使用を決定する。
ステップ５３０：終了。
プロセス５０に従って、ＵＥは、再設定値に従って、使用中のパラメータの使用、そのパラメータの使用中の現在値及び再設定値が受信された後に残っている値を決定する。さらに具体的には、ＵＥは、再設定値と関連する値（例えば現在値のみ又は現在値及び残りの値の両方）との間の関係を取得し、それに応じてパラメータの使用を維持するか又は修正するかを決定する。
【実施例６】
【００２６】
本発明の実施形態に従ってプロセス６０のフローチャートを表わす図６を参照されたい。プロセス６０は、実行中のタイマーの使用を決定するためのプロセス５０のコンセプトに基づいて作成されている。実行中のタイマーが、ターゲット時間ｚ及び残存時間ｙを有し、そのタイマーの実行中に再設定値ｘが受信されたと推定する。さらに、そのタイマーは、増加している時間のカウントを実施し、従って、そのタイマーの現在時間は（ｚ−ｙ）である。プロセス６０は、以下のステップを含む：
ステップ６００：開始。
ステップ６０５：目標値がｚのタイマーが（ｚ−ｙ）で実行される場合、ｘを取得する。
ステップ６１０：ｘがｙよりも小さいか否か決定する。小さい場合、ステップ６３０を実施し、その他の場合はステップ６２０を実施する。
ステップ６２０：ｘが（ｚ−ｙ）よりも大きいか否か決定する。大きい場合、ステップ６４０を実施し、その他の場合はステップ６６０を実施する。
ステップ６３０：目標時間のｘを使用してタイマーを再開始し、次にステップ６７０を実施する。
ステップ６４０：タイマーを（ｘ−（ｚ−ｙ））で再開始する。
ステップ６５０：タイマーが開始又は再開始される場合、目標時間ｘを使用してタイマーを開始し、次にステップ６７０を実施する。
ステップ６６０：タイマーの実行を継続する。
ステップ６７０：終了。
プロセス６０から分かるように、ＵＥは、ｘ＜ｙの場合、値ｘでタイマーを再開始することによって即時に再設定値ｘを使用する。記載（ｘ＜ｙ）は、タイマーの新しい実行時間が現在の残り時間よりも小さいことを意味する。従って、タイマーの実行時間の長さは、ｘに限られている。さらに、ＵＥは、目標時間ｚでタイマーの終了に対して指定されたアクションを実施してもよい。ｘ＞（ｚ−ｙ）である場合、ＵＥは、タイマーを、実行時間と現在値との間の差である［ｘ−（ｚ−ｙ）］の値で再開始する。［ｘ−（ｚ−ｙ）］で再開始されたタイマーが終了となった後に、ＵＥは、そのタイマーが次に開始又は再開始されるときに値ｘの使用を開始する。ｘ＞ｙ及びｘ＜（ｚ−ｙ）である場合、ＵＥは、タイマーの使用を修正せず、そのタイマーの実行を継続する。
【００２７】
従って、ＵＥは、ｚからｘまでの値で即時にターゲット値を無条件には再設定せず、それによって、ｘがｙよりも大きい場合、ターゲット時間ｚのタイマーが、残り時間をｙからｘに引き延ばすという誤った状態を防ぐ。プロセス６０を通して、実行中のタイマーは、システム・エラーを防ぐように適切に再設定されている。
【実施例７】
【００２８】
本発明の実施形態に従って、プロセス７０のフローチャートを表わす図７を参照されたい。プロセス７０は、実行中のカウンターの使用量を決定するために、プロセス５０のコンセプトに基づいて作成されている。実行中のカウンターがターゲット数ｚ’及び現在数ｙ’を有し、再設定値ｘ’が受信されると推定する。さらに、タイマーは、増加するカウントを実施し、従って、ターゲット数ｚ’は、カウンターの最大値である。プロセス７０は、以下のステップを含む：
ステップ７００：開始。
ステップ７０５：ターゲット値ｚ’のカウンターがｙ’でカウントする場合、ｘ’を取得する。
ステップ７１０：ｘ’がｙ’よりも小さいか否かを決定する。小さい場合、ステップ７２０を実施し、その他の場合はステップ７３０を実施する。
ステップ７２０：目標数ｘ’を使用してカウンターを初期値にリセットし、ステップ７４０を次に実施する。
ステップ７３０：目標数をｚ’からｘ’へ変更し、カウンターの実行を継続する。
ステップ７４０：終了。
プロセス７０から分かるように、ＵＥは、カウンターを初期値（例えば０又は所定値）にリセットし、ｘ’＜ｙ’の場合、ｘ’を最大値として使用する。さらに、ＵＥは、最大値ｚ’に到達したカウンターに対して以前指定されたアクションを実施する。その他の場合、ＵＥは、ｘ’を最大値として使用し、カウンターの実行を続ける。プロセス７０は、即時に適用された値が所定の最大値よりも大きくなることを防ぐ。
【実施例８】
【００２９】
本発明の実施形態に従ってプロセス８０のフローチャートを示す図８を参照されたい。プロセス８０は、無線通信システムのＵＥに対するＲＬＣ再設定に使用される。プロセス８０は、プログラム・コード２１４にコンパイルされ、以下のステップを含む：
ステップ８００：開始。
ステップ８１０：パラメータが使用中の場合、そのパラメータに関連付けられている再設定値を含む専用シグナル伝達を受信する。
ステップ８２０：再設定値が所定値又は「無限」を表わすキャラクタである場合、そのパラメータの使用を停止する。
ステップ８３０：終了。
プロセス８０に従って、ＵＥは、「無限」の再設定値を含むＲＲＣ専用のシグナル伝達が受信されたとき、使用中のパラメータを停止する。その「無限」値は、即時に適用された場合、深刻なシステム・エラーが生じる原因となり得る。例えば、ＵＥは、以下の問題を解決するために、タイマーの再設定値が「無限」である場合、再伝送の有効性期間をカウントするために使用されている実行中のタイマーを停止する。ＵＥが、再伝送の有効性期間をカウントするために使用されている実行中のタイマーに対し、受信された「無限」値を即時に適用する場合、そのタイマーは停止できなくなる。これは、ＵＥが非常に長時間の再伝送の機能停止に耐えることができることを意味する。
【実施例９】
【００３０】
本発明の実施形態に従ってプロセス９０のフローチャートを表わす図９を参照されたい。プロセス９０は、無線通信システムのＵＥに対するＲＬＣエンティティのＳＮフィールド長のパラメータに関連する再設定のために使用される。ＳＮフィールド長は、ＲＬＣ層においてシーケンス番号の長さを管理するパラメータであり、実質的に正確なＲＬＣ伝送・再伝送を決定づける。例えば、ＵＥが、ＰＤＵのＳＮを予側することである。プロセス９０は、プログラム・コード２１４にコンパイルされ、以下のステップを含む：
ステップ９００：開始。
ステップ９１０：ＳＮフィールド長が使用中の場合、ＳＮフィールド長に関連付けられている再設定値を含む専用シグナル伝達を受信する。
ステップ９２０：ＲＬＣエンティティを再構築又はリセットし、再設定値をＳＮフィールド長に適用し、そのＲＬＣエンティティを設定する。
ステップ９３０：終了。
プロセス９０に従って、ＵＥが例えばＲＬＣエンティティのＳＮフィールド長の値を変更するためのＲＲＣ接続再設定メッセージなどの専用シグナル伝達を受信する場合、ＵＥは、ＲＬＣエンティティをリセット／再構築し、ＳＮフィールド長にその再設定値を適用してＲＬＣエンティティを設定する。従って、ＵＥは、ＳＮフィールド長の値が、変更される（例えば１０から５ビットまでのサイズ変更がされる）ネットワークによって示される場合、ＲＬＣエンティティをリセット又は再構築する。
【００３１】
プロセス９０は、また、如何なる論理チャンネルのパラメータの再設定にも適用可能である。ＵＥが、ＲＬＣエンティティの論理チャンネル・コンフィグＩＥにおけるいずれかのパラメータを変更するために、再設定値を含む専用シグナルを受信する場合、ＵＥは、そのＲＬＣエンティティをリセット／再構築し、その再設定値をパラメータに適用してＲＬＣエンティティを設定する。
【００３２】
プロセス９０において、エンティティのリセット／再構築は、パラメータ再設定によって生じるＲＬＣエンティティの不具合を防ぐ。
【実施例１０】
【００３３】
本発明の実施形態に従って、プロセス１０００のフローチャートを表わす図１０を参照されたい。プロセス１０００は、無線通信システムのＵＥに対するＲＬＣ再設定のために使用される。プロセス１０００は、プログラム２１４にコンパイルされ、以下のステップを含む：
ステップ１００５：開始。
ステップ１０１０：論理チャンネルが使用中の場合、その論理チャンネル・パラメータに関連付けられている再設定値を含む専用シグナル伝達を受信する。
ステップ１０２０：再設定値が上記の専用シグナル伝達から抽出される場合、論理チャンネル優先順位決定機能及びＢＳＲ報告がアクティブであるか否か決定する。
ステップ１０３０：論理チャンネル優先順位決定機能又はＢＳＲ報告のいずれもアクティブでないと決定する場合、上記の再設定値の使用を即時に開始する。
ステップ１０４０：終了。
プロセス１０００に従って、ＵＥは、再設定値が論理チャンネル・パラメータの使用中に受信された専用シグナル伝達から抽出される場合、ＭＡＣ層の論理チャンネル優先順位決定機能及びＢＳＲ報告がアクティブであるか否かを決定する。例えば、その再設定値は、ＲＲＣ接続再設定メッセージにおいて含まれる論理チャンネル・コンフィグＩＥから抽出することができる。ＵＥは次に、論理チャンネル優先順位決定機能及びＢＳＲ報告のいずれもアクティブでない場合、即時にその値の使用を開始する。プロセス１０００は、ＵＥが誤って使用中の論理チャンネルの優先順位を修正すること又はＢＳＲに対するパケット量の計算を妨げることを防ぐ。
【実施例１１】
【００３４】
本発明の実施形態に従って、プロセス１１００のフローチャートを表わす図１１を参照されたい。プロセス１１００は、無線通信システムのＵＥに対してＲＬＣ再設定のために使用される。プロセス１１００は、プログラム・コード２１４にコンパイルされ、以下のステップを含む：
ステップ１１０５：開始。
ステップ１１１０：論理チャンネルのパラメータが使用中の場合、その論理チャンネルのパラメータに関連する再設定値を含む専用シグナル伝達を受信する。
ステップ１１２０：ＲＬＣリセット又はＲＬＣ再構築のいずれも必要でない場合、次に論理チャンネル優先順位決定機能が実行されるよりも前に再設定値の使用を開始する。
ステップ１１３０：終了。
【００３５】
プロセス１１００に従って、ＵＥは、例えばＲＬＣエンティティの論理チャンネル・コンフィグＩＥのパラメータなどの論理チャンネルのパラメータに関連する再設定値が受信されると、ＲＬＣリセット又はＲＬＣ再構築のいずれも必要とされていない場合、次に論理チャンネル優先順位決定機能が実行されるよりも前に再設定値の使用を開始する。次にその論理チャンネル優先順位決定機能が実行されるよりも前に再設定値を使用することは、論理チャンネル優先順位決定機能が、ネットワークの最新の必要条件に応じて機能していることを確認する。
【００３６】
プロセス１１００の概念は、また、以下の場合にも適用が可能である。ＵＥが、ＲＬＣエンティティの論理チャンネル・コンフィグＩＥにおける論理チャンネル・グループのパラメータの再設定値を含む専用シグナル伝達を受信する場合、ＵＥは、ＲＬＣエンティティのリセット／再構築が必要でない場合、次にＢＳＲ報告が実行されるときに、再設定値の使用を開始する。ＢＳＲ報告は、ネットワークがどの程度の量のＲＬＣデータをＵＥが次の伝送で送信しようとしているのかを知るために使用されるため、ＵＥは、正しいＢＳＲを生成するために時間内に新しい値を適用する必要がある。
【実施例１２】
【００３７】
本発明の実施形態に従って、プロセス１２００のフローチャートを表わす図１２を参照されたい。プロセス１２００は、無線通信システムのＵＥに対するＲＬＣ再設定のために使用される。プロセス１２００は、プログラム・コード２１４にコンパイルされ、以下のステップを含む：
ステップ１２０５：開始。
ステップ１２１０：パラメータが使用中の場合、そのパラメータに関連付けられている再設
定値を含むＲＲＣ接続再設定メッセージを受信する。
ステップ１２２０：ＲＲＣ接続再設定メッセージが、ハンドオーバー機能ＩＥは含まないか、及びＲＲＣ再構築手順の後に続くＲＲＣ接続再設定手順のメッセージではないかどうかを決定する。
ステップ１２３０：ＲＲＣ接続再設定メッセージが無効であり、ＲＬＣ再設定は失敗であることを決定する。
ステップ１２４０：ＲＲＣ接続再構築手順を実施し、ステップ１２６０を実施する。
ステップ１２５０：使用中のパラメータに対して再設定値の使用を即時には開始しない。
ステップ１２６０：終了。
プロセス１２００に従って、ＵＥがハンドオーバー情報を全く含まないＲＲＣ接続再設定メッセージを受信し、関連するＲＲＣ再設定手順がＲＲＣ再構築手順の後に続かない場合、ＵＥは、そのＲＲＣ接続再設定メッセージが無効であり、ＲＬＣ再設定が失敗であることを決定する。次に、ＵＥは、ＲＬＣ接続の失敗を回復させるために、ＲＲＣ接続再構築手順を実施する。そうでなければ、ＲＲＣ再設定メッセージは有効であると決定され、再設定値は、使用中のパラメータへの使用を即時には開始されない。ステップ１２５０の詳細は、プロセス４０‐１１００で参照できる。
【００３８】
ハンドオーバー情報を全く含まないが、再設定値を含むＲＲＣ接続再設定メッセージは、「移動性制御情報」ＩＥを含まないが、論理チャンネル・コンフィグ又はＲＬＣ−コンフィグＩＥを含むＲＲＣ接続再設定メッセージであり得る。その「移動性制御情報」は、セル、搬送波周波数、帯域幅などの変更に使用される。ＵＥが、ＲＬＣパラメータ／論理チャンネルのパラメータのみを「移動性制御情報」の設定を適用せずに適用した場合、ＵＥは、ＲＲＣ接続再設定手順の後にパケットを適切に受信することができない。従って、ＵＥは、そのようなＲＲＣ接続再設定メッセージは無効であると見なす。
【実施例１３】
【００３９】
本発明の実施形態に従って通信装置１３００の概略図を表わす図１３を参照されたい。通信装置１３００は、図１に示される通信装置であってもよく、受信ユニット１３１０、再設定ユニット１３２０、再構築及びリセット・ユニット１３３０及び決定ユニット１３４０を含む。受信ユニット１３１０は、パラメータＰＡＲが使用中であるとき、そのパラメータＰＡＲに対応する再設定値ＲＥＶを含む専用シグナルＤＳＩＧを受信するために使用される。そのパラメータＰＡＲは、上記で述べたように、ＲＬＣ層又は論理チャンネルに対応する。再構築及びリセット・ユニット１３３０は、ＲＬＣ層のＲＬＣエンティティを再構築又はリセットし、ＲＬＣリセット及びＲＬＣ再構築のいずれも必要でない場合は、再設定ユニット１３２０に指示シグナルＩＳＣ１を発する。決定ユニット１３４０は、論理チャンネルの論理チャンネル優先順位決定機能又はＢＳＲ報告のいずれもアクティブでないことを決定するとき、指示シグナルＩＳＣ２を発する。さらに、決定ユニット１３４０は、専用シグナル伝達ＤＳＩＧがハンドオーバー情報ＩＥを全く含まないＲＲＣ接続再設定メッセージであり、ＲＲＣ再構築手順の後に続くＲＲＣ再設定手順のメッセージでない場合、受信された専用シグナル伝達ＤＳＩＧは無効であり、ＲＬＣ再設定は失敗であることを決定する。従って、決定ユニット１３４０は、指示シグナルＩＳＣ３を発する。
【００４０】
再設定ユニット１３２０は、再設定値ＲＥＶが専用シグナル伝達から抽出される場合、使用中のＲＬＣ関連のパラメータに対して再設定値ＲＥＶの使用を即時には開始しないために、主に使用される。ＩＳＣ１に従って、再設定ユニット１３２０は、パラメータ（例えば、論理チャンネル・コンフィグＩＥのパラメータ）が論理チャンネルに関連付けられる場合、論理チャンネル優先順位決定機能が次に実行されるよりも前に、再設定値ＲＥＶの使用を開始することができる。あるいは、再設定ユニット１３２０は、パラメータが論理チャンネル・グループ（例えば、論理チャンネル・グループのパラメータ）と関連付く場合、次にバッファ・ステータス報告が指示シグナルＩＳＣ１に従って実行されるよりも前に再設定値ＰＡＲの使用を開始する。指示シグナルＩＳＣ２に従って、再設定ユニット１３２０は、パラメータＰＡＲが論理チャンネルと関連付けられる場合、再設定値ＲＥＶの使用を即時に開始する。
【００４１】
指示シグナルＩＳＣ３に従って、再構築及びリセット・ユニット１３３０は、ＲＬＣエンティティを再構築又はリセットするために、ＲＲＣ再構築手順を実施し、失敗したＲＬＣ再設定を正常に戻す。
【００４２】
通信装置１３００は、プロセス４０‐１２００を実現することができることから、詳細な操作は、上記の段落で参照することができる。
【００４３】
結論として、模範的な方法及び手段が、使用中のＲＬＣ関連のパラメータへの再設定値の使用を即時に開始しないことから、ＲＬＣ層、論理チャンネル管理におけるエラー又は誤ったＢＳＲ報告を防ぐ概念を公開するために提供されている。
【符号の説明】
【００４４】
１０…無線通信システム
２０…通信装置
４０…プロセス
５０…プロセス
７０…プロセス
８０…プロセス
９０…プロセス
２００…プロセッサ
２１０…コンピュータ可読の記録媒体
２１４…プログラム・コード
２２０…通信インターフェース接続ユニット
２３０…制御ユニット
３００…リソース制御（ＲＲＣ）層
３１０…パケットデータ収束プロトコル（ＰＤＣＰ）層
３２０…無線リンク制御（ＲＬＣ）層
３２５…論理チャンネル管理ユニット
３３０…媒体アクセス制御（ＭＡＣ）層
３４０…物理（ＰＨＹ）層
４００…ステップ
４１０…ステップ
４２０…ステップ
４３０…ステップ
５００…ステップ
５１０…ステップ
５２０…ステップ
５３０…ステップ
６００…ステップ
６０５…ステップ
６１０…ステップ
６２０…ステップ
６３０…ステップ
６４０…ステップ
６５０…ステップ
６６０…ステップ
６７０…ステップ
７００…ステップ
７０５…ステップ
７１０…ステップ
７２０…ステップ
７３０…ステップ
７４０…ステップ
８００…ステップ
８１０…ステップ
８２０…ステップ
８３０…ステップ
９００…ステップ
９１０…ステップ
９２０…ステップ
９３０…ステップ
１０００…プロセス
１００５…ステップ
１０１０…ステップ
１０２０…ステップ
１０３０…ステップ
１０４０…ステップ
１１００…プロセス
１１０５…ステップ
１１１０…ステップ
１１２０…ステップ
１１３０…ステップ
１２００…プロセス
１２０５…ステップ
１２１０…ステップ
１２２０…ステップ
１２３０…ステップ
１２４０…ステップ
１２５０…ステップ
１２６０…ステップ
１３００…通信装置
１３１０…受信ユニット
１３２０…再設定ユニット
１３３０…再構築及びリセット・ユニット
１３４０…決定ユニット
【図１】
2010220215.tif 000003
【図２】
2010220215.tif 000004
【図３】
2010220215.tif 000005
【図４】
2010220215.tif 000006
【図５】
2010220215.tif 000007
【図６】
2010220215.tif 000008
【図７】
2010220215.tif 000009
【図８】
2010220215.tif 000010
【図９】
2010220215.tif 000011
【図１０】
2010220215.tif 000012
【図１１】
2010220215.tif 000013
【図１２】
2010220215.tif 000014
【図１３】
2010220215.tif 000015
【外国語明細書】
2010220215.tif 000016
2010220215.tif 000017
2010220215.tif 000018
2010220215.tif 000019
2010220215.tif 000020
2010220215.tif 000021
2010220215.tif 000022
2010220215.tif 000023
2010220215.tif 000024
2010220215.tif 000025
2010220215.tif 000026
2010220215.tif 000027
2010220215.tif 000028
2010220215.tif 000029
2010220215.tif 000030
2010220215.tif 000031
2010220215.tif 000032
【図１】
2010220215.tif 000033
【図２】
2010220215.tif 000034
【図３】
2010220215.tif 000035
【図４】
2010220215.tif 000036
【図５】
2010220215.tif 000037
【図６】
2010220215.tif 000038
【図７】
2010220215.tif 000039
【図８】
2010220215.tif 000040
【図９】
2010220215.tif 000041
【図１０】
2010220215.tif 000042
【図１１】
2010220215.tif 000043
【図１２】
2010220215.tif 000044
【図１３】
2010220215.tif 000045